(57)【特許請求の範囲】
【請求項１】
２つの照明器具を備え、該照明器具間の通路を含む照明エリアで連動して点灯又は消灯することが可能な連動型照明器具であって、各照明器具は、
人体を検知する人感センサと、
周辺の照度を検出する照度センサと、
前記人感センサと前記照度センサを用いて点灯又は消灯が制御される照明部と、
前記照明器具間で連動し同時点灯又は同時消灯するために、前記人感センサからの人感信号に基づいて前記照明部の点灯状態又は消灯状態を表す情報を生成して前記照明器具間で伝達する情報伝達部と、を具備し、
人が前記照明器具間の通路を含む照明エリアを一方の照明器具側から他方の照明器具側へ通行する場合において、最初に一方の照明器具の人感センサで人体を検出すると、その検出信号に基づいて該一方の照明器具の照明部が点灯し、その点灯結果が各照明器具の情報伝達部を介して他方の照明器具に伝達されて該他方の照明器具の照明部が点灯し、各照明器具はその点灯状態を維持し、次に前記他方の照明器具の人感センサが人体を検出すると、その検出信号に基づいて該他方の照明器具の照明部が消灯し、その消灯結果が各照明器具の情報伝達部を介して前記一方の照明器具に伝達されて該一方の照明器具の照明部が消灯することを特徴とする連動型照明器具。
【請求項２】
前記一方の照明器具と前記他方の照明器具との間には、子器用照明器具が配設され、
前記子器用照明器具は、
照明部と、
前記一方の照明器具と当該子器用照明器具と前記他方の照明器具との間で連動し同時点灯又は同時消灯するために、前記一方の照明器具の人感センサ又は他方の照明器具の人感センサからの人感信号に基づいて前記一方の照明器具の照明部又は前記他方の照明器具の照明部の点灯状態又は消灯状態を表す点灯情報を生成して当該子器用照明器具を経由して前記一方の照明器具と前記他方の照明器具との間で伝達する情報伝達部と、
を具備したことを特徴とする請求項１に記載の連動型照明器具。
【発明の詳細な説明】
【技術分野】
【０００１】
本発明は、人感センサと周辺照度検出用の照度センサを用いて、ユーザーにとって適切な照明環境を設定して自動化でき、人が常時廊下や階段等の通路を安全に通行することができ、かつ必要な時間だけ照明できる連動型照明器具に関する。
【背景技術】
【０００２】
従来、人体からの放射される赤外線を検出して、廊下や階段等の通路の中間位置や踊り場などに配置した１つの照明器具を一定時間点灯させる２個の電子スイッチを３路結線する自動スイッチは実現されている。
【先行技術文献】
【特許文献】
【０００３】
【特許文献１】特許４１３４１２５号公報
【特許文献２】特許３５９６３０９号公報
【発明の概要】
【発明が解決しようとする課題】
【０００４】
廊下や階段等を照明する方法として、図１７に示すように１個の照明器具を天井に取り付け、２個のスイッチで制御する３路結線は従来から良く知られている。  
図１７では、人が１階から２階に上がりたい場合には、３路スイッチＡの摺動端子を端子１から端子３に切り換えると、天井に取り付けた照明負荷Ｌの両端は電気的に交流電源ＡＣに直列接続されて点灯する。人が２階に上がった後は、３路スイッチＢを端子３から端子１に切り換えることにより照明負荷Ｌの両端は電気的に交流電源ＡＣと不導通となって消灯する。
【０００５】
図１８は、人体から放射される赤外線を検知して天井に取り付けた照明器具を自動制御する先述の特許文献１で開示されている自動スイッチの３路結線を示している。  
図１８で、例えば人体検知センサ(人感センサと同義)PED-Aが人体を検知すると、制御部２５Ａは所定時間のタイマー信号を生成してトライアックTRACをタイマーオンさせる。これによって、交流電源ＡＣから天井に取り付けた照明負荷Ｌを通り、トライアックTRAC-A，電流検知部３０Ｂを通して負荷電流（点灯電流）が流れる。電流検知部３０Ｂは負荷電流を検出すると、その電流が流れている期間、電流検知信号を制御部２５Ｂに送り、自動スイッチ１０Ｂの制御部２５Ｂはその電流検知信号の期間、トライアックTRAC-Bをオンにする。トライアックTRAC-Bのオンによって、交流電源ＡＣからトライアックTRAC-B，電流検知部３０Ａを通り、照明負荷Ｌに負荷電流（点灯電流）が流れる。この負荷電流は電流検知部３０Ａにて検出され、その電流検知信号が自動スイッチ１０Ａの制御部２５Ａへ送られることで、制御部２５ＡはトライアックTRAC-Aを人体検知センサPED-Aの検知出力と同時に電流検知信号によってオンすることになる。これは、人体検知センサ付き自動スイッチ１０Ｂ側の人体検知センサ(人感センサと同義)PED-Bが人体を検知した場合も同様となる。
【０００６】
もう１つの照明方法として、廊下の壁面を照明する方法があり、このための通路専用の壁面を照らす照明器具は廊下等の通路に複数個設置することが望ましい。このような照明器具は前者の天井灯が、通路全体を照明するのに対し、部分照明となるので、通路の出入り口側に設置された壁面を照明する照明器具のいずれかが点灯した時、複数個の全ての照明器具が連動して同時に点灯するようにしたい。また、前者の天井灯の場合は、一定時間だけ点灯し、タイムオーバーで強制的に消灯してしまうが、人によって廊下の行き来は時間が異なるので、人が廊下に留まっている間は照明が切れないことが望ましい。
【０００７】
本発明は上述の問題に鑑み、人感センサと周辺照度検出用の照度センサを用いて、ユーザーにとって適切な照明環境を設定して自動化することを可能とし、人が常時廊下や階段等の通路を安全に通行することができ、かつ必要な時間だけ照明することができる連動型照明器具を提供することにある。
【０００８】
本発明は上記の要求を実現するために、通路の両端側に配置した２つの親器としての照明器具と、それら通路の両端側の２つの親器間の中間位置に配置した子器としての照明器具とが連動して、全ての照明器具が同時に点灯でき、しかも人が廊下に留まっている間は全ての照明器具が点灯し続けることができる連動型照明器具を提供することにある。
【課題を解決するための手段】
【０００９】
本発明の一態様の連動型照明器具は、２つの照明器具を備え、該照明器具間の通路を含む照明エリアで連動して点灯又は消灯することが可能な連動型照明器具であって、各照明器具は、人体を検知する人感センサと、周辺の照度を検出する照度センサと、前記人感センサと前記照度センサを用いて点灯又は消灯が制御される照明部と、前記照明器具間で連動し同時点灯又は同時消灯するために、前記人感センサからの人感信号に基づいて前記照明部の点灯状態又は消灯状態を表す情報を生成して前記照明器具間で伝達する情報伝達部と、を具備し、人が前記照明器具間の通路を含む照明エリアを一方の照明器具側から他方の照明器具側へ通行する場合において、最初に一方の照明器具の人感センサで人体を検出すると、その検出信号に基づいて該一方の照明器具の照明部が点灯し、その点灯結果が各照明器具の情報伝達部を介して他方の照明器具に伝達されて該他方の照明器具の照明部が点灯し、各照明器具はその点灯状態を維持し、次に前記他方の照明器具の人感センサが人体を検出すると、その検出信号に基づいて該他方の照明器具の照明部が消灯し、その消灯結果が各照明器具の情報伝達部を介して前記一方の照明器具に伝達されて該一方の照明器具の照明部が消灯する。
【発明の効果】
【００１１】
本発明によれば、人感センサと周辺照度検出用の照度センサを用いて、ユーザーにとって適切な照明環境を設定して自動化することを可能とし、人が常時廊下や階段等の通路を安全に通行することができ、かつ必要な時間だけ照明することができる連動型照明器具を実現することができる。
【図面の簡単な説明】
【００１２】
【図１】本発明の第１の実施形態の連動型照明システムの親器としての連動型照明器具の回路図。
【図２】２つの連動部を連結配線接続した概略構成の等価回路図。
【図３】連動型照明システムにおける子器の詳細な構成図。
【図４】２つの親器と複数の子器の接続形態を示す配線図。
【図５】図４において設置された全ての照明器具の同時点灯及び同時消灯の動作を説明するタイミングチャート。
【図６】本発明の第２の実施形態の連動型照明システムにおける親器としての連動型照明器具の回路図。
【図７】本発明の第２の実施形態の連動型照明システムにおける子器としての連動型照明器具の回路図。
【図８】本発明の第３の実施形態の連動型照明システムにおける親器としての連動型照明器具の回路図。
【図９】本発明の第３の実施形態の連動型照明システムにおける親器同士の２線接続を示す回路図。
【図１０】図９の２線接続状態における親器間における同時点灯及び同時消灯の動作を説明するタイミングチャート。
【図１１】第３の実施形態における子器としての連動型照明器具の回路図。
【図１２】２つの親器間に子器１台を接続した場合の情報伝達に関わる部分の接続状態を説明する回路図。
【図１３】図１２の接続状態における２つの親器及び子器における同時点灯及び同時消灯の動作を説明するタイムチャート。
【図１４】本発明の第４の実施形態の連動型照明システムにおける親器としての連動型照明器具の回路図。
【図１５】図１４に示したような互いに離間した位置に２つの人感センサ部を備えた親器における、人感センサ出力及びマイコン出力の一例を示す図。
【図１６】図１４に示したような互いに離間した位置に２つの人感センサ部を備えた親器における、人感センサ出力及びマイコン出力の他の例を示す図。
【図１７】手動スイッチによる３路配線構成を示す図。
【図１８】人感センサ付き自動スイッチによる３路配線構成を示す図。
【発明を実施するための形態】
【００１３】
発明の実施形態について図面を参照して説明する。  
[第１の実施形態]
図１は本発明の第１の実施形態の連動型照明システムの親照明器具(以下親器)としての連動型照明器具の回路図である。本実施形態では、連動型照明器具として例えば連動型通路灯を備えた親器について説明する。
【００１４】
連動型通路灯の親器は、周辺環境照度が所定値以下でＬＥＤを点灯する独立した副光源の照明器具を形成する独立部１０Ａと、人体の放射する赤外線を検知して複数の主光源の照明器具を連動して同時に点灯・消灯する連動部２０Ａとの２つの照明系を含む。本実施形態では、独立部１０Ａと連動部２０Ａとは構造的には同一筐体内に一体的に収納されている。独立部１０Ａは、常夜灯(例えば足元灯)として機能し、連動部２０Ａは同様な構成のもう１つの連動部２０Ｂに連結して連動型通路灯として機能する。なお、連動部２０Ｂには独立部１０Ａと同様な独立部１０Ｂが同一筐体内に一体的に収納されている。連動部２０Ａと連動部２０Ｂは互いに直結する構成であっても、或いは連動部２０Ａと連動部２０Ｂとの間に少なくとも１つの子器が連接する構成であってもよい。
【００１５】
独立部１０Ａは、電源部１１と、この電源部１１に接続され、照度センサＰＤ2を用いて点灯制御する照度センサ部１２と、前記電源部１１内の第２の電源回路の出力電圧が電源電圧として供給されて点灯し、かつその電源電圧の供給が前記照度センサ部１２の周辺環境照度の検出値に応じてオン・オフ制御される照明用ＬＥＤ群を有する照明部１３と、を備えている。
【００１６】
上記電源部１１は、商用交流電源ＡＣ(図示略)に基づいた二系統の電源回路を有している。商用交流電源ＡＣとしては、一般住宅用に使用されている単相３線式の３本の電線のうちの２本の電圧線の中の１本の電圧線のライン端子(以下、ＡＣ入力端子Ｌと呼ぶ)と接地線である１本の中性線のニュートラル端子(以下、ＡＣ入力端子Ｎと呼ぶ)とを使用して、ＡＣ１００Ｖが給電される。商用交流電源ＡＣとしては、単相３線式の交流電源に限らず、単相２線式の交流電源であってもよい。
【００１７】
ＡＣ入力端子ＬとＡＣ入力端子Ｎ間には、コンデンサＣ1が接続されている。  
二系統の電源回路のうちの第１の電源回路は、足元照明用ＬＥＤ群を含む照明部１３に供給する整流電圧を生成する電源回路であって、ＡＣ入力端子ＬとＡＣ入力端子Ｎとの間に、抵抗Ｒ20及びコンデンサＣ13の並列回路と、抵抗Ｒ21と、全波整流回路である全波整流ダイオードブリッジＤＢ2とが直列に接続されている。全波整流ダイオードブリッジＤＢ2の＋端子から出力される全波整流電圧は、照明部１３に供給される。照明部１３は、電流制限用抵抗Ｒ32とこれに直列接続した少なくとも１つ(図では２つ)のＬＥＤで構成されるＬＥＤ群との直列回路と、この直列回路を保護するために該直列回路両端に並列接続された定電圧ダイオードＺＤ4とを備えて構成されている。なお、全波整流ダイオードブリッジＤＢ2の−端子は、全波整流ダイオードブリッジＤＢ2の二次側(直流出力側)の基準電位点(ＧＮＤ)として機能する。
【００１８】
二系統の電源回路のうちの第２の電源回路は、照度センサ部１２に供給する直流電圧を生成する電源回路であって、ＡＣ入力端子ＬとＡＣ入力端子Ｎとの間に、抵抗Ｒ19，Ｒ22及びダイオードＤ7，Ｄ8による半波整流回路が形成され、その整流出力端には充電コンデンサＣ14及び定電圧ダイオードＺＤ3の並列回路が接続され、その定電圧出力はレギュレータ用の直流電源電圧としてレギュレータＩＣ4に供給され、レギュレータＩＣ4の出力側に並列接続された平滑コンデンサＣ15を介して安定化直流電源電圧として出力され、照度センサ部１２に供給される。
【００１９】
照度センサ部１２は、平滑コンデンサＣ15の両端に、周辺環境の照度を検出する照度センサＰＤ2と、コンデンサＣ16及び負荷抵抗Ｒ23の並列回路とを直列接続し、照度センサＰＤ2と抵抗Ｒ23の接続点の電圧をコンパレータＩＣ5の−端子に供給し、さらに平滑コンデンサＣ15の両端には抵抗Ｒ25及び抵抗Ｒ26の直列回路が並列接続され、抵抗Ｒ25及びＲ26の接続点に得られる分圧電圧をコンパレータＩＣ5の＋端子に供給する構成となっている。コンパレータＩＣ5の電源は平滑コンデンサＣ15の両端電圧が用いられ、コンパレータＩＣ5の出力端は抵抗Ｒ30及びＲ31の直列回路を介して前記基準電位点に接続されており、抵抗Ｒ30及びＲ31の接続点に得られる分圧電圧がスイッチ素子としてのサイリスタＳＣＲ1のゲートに供給されている。
【００２０】
前記第１の電源回路における全波整流ダイオードブリッジＤＢ2の全波整流電圧は、照明部１３と前記ＳＣＲ1とを直列接続した直列回路の両端に供給されている。  
前記照明部１３は、抵抗Ｒ23と２つのＬＥＤ7，ＬＥＤ8との直列回路と、この直列回路に並列接続した定電圧ダイオードＺＤ4とを備え、前記サイリスタＳＣＲ1のゲートに供給されるコンパレータＩＣ5出力のＨ，Ｌレベルに応じてＳＣＲ1がオン・オフすることによって、照明部１３は点灯・消灯が制御される。
【００２１】
なお、前記コンパレータＩＣ5の出力端は、抵抗Ｒ28と抵抗Ｒ29の直列回路を介して基準電位点に接続しており、抵抗Ｒ28と抵抗Ｒ29の接続点の分圧電圧がトランジスタＱ3 のベースに供給されている。トランジスタＱ3 のコレクタは抵抗Ｒ24を介して前記コンパレータＩＣ5の−端子に接続され、Ｑ3のエミッタは前記基準電位点に接続されている。コンパレータＩＣ5の出力がＨレベルとなり、ＳＣＲ1がオンして照明部１３が点灯したとき、、トランジスタＱ3がオンすることによって、抵抗Ｒ24が前記照度センサＰＤ2の負荷抵抗Ｒ23に並列に接続されるようになっている。
【００２２】
照度センサ部１２のトランジスタＱ3の働きは、ＬＥＤ群が点灯時、その光により、照度センサＰＤ2の出力が変化してＬＥＤ群を消灯させてしまうことを防止するため、照度センサＰＤ2の負荷抵抗Ｒ23に並列に抵抗Ｒ24を接続させることによって、照明部１３の点灯時にコンパレータＩＣ5の−端子の電圧を下げて、点灯時に必要な周辺環境照度と消灯時に必要な周辺環境照度との間に照度差を生じるヒステリシス機能をコンパレータＩＣ5に持たせている。足元照明用ＬＥＤ群を含む照明部ｌ３は周辺環境照度に起因して点灯・消灯するようになっているので、後述する連動機能には影響されない。
【００２３】
連動部２０Ａは、電源部２１と、該電源部２１の出力電圧が電源電圧として供給されて点灯する主光源としての照明部２２と、該照明部２２が点灯したときの電流を検出する情報伝達部としての電流検知部２３と、電流検知部２３からの電流検知信号、照度センサ部２６からの周辺環境照度検出信号、人感センサ部２５からの人感信号、及びＰＤタッチによるユーザー指令が可能な照度センサ部(以下、ＰＤタッチ用照度センサ部)２６からのユーザー操作に基づく調光指令信号を入力し、これらの入力信号を用いて照明部２２を点灯・消灯させるための点灯制御信号を生成する制御部２４と、人感センサＰＥＤ1を有する人感センサ部２５と、ＰＤタッチ用照度センサＰＤ1を有するＰＤタッチ用照度センサ部２６と、を備えている。
【００２４】
ＰＤタッチ用照度センサ部２６は、本来、周辺の環境照度を検出するための照度センサ部をユーザー指令用にも兼用するものであり、照明器具の筐体(外装体)に設けた照度検出用採光部(外光取り入れ口)から周辺環境光(外光)を取り入れ可能となっており、ユーザーが採光部を指で短時間(例えば２秒間)塞ぐ操作を行うことによって照度センサＰＤ1で照度変化を検出して制御用マイコンＩＣ2に伝え、マイコンＩＣ2がそのときの照度検出値の変化特性から例えば調光指令と判断して調光指令信号を生成して出力できるようにするためのものである。ＰＤタッチについては、本出願人が２０１０年１０月８日に特許出願した特願２０１０−２２９０２２号明細書に原理及び応用について説明したものがある。
【００２５】
電源部２１は、上記電源部１１と同様な構成となっている。すなわち、商用交流電源ＡＣの前記ＡＣ入力端子Ｌと交流入力端子２の間に、バリスター等のサージ吸収素子ＺＮＲと、抵抗Ｒ5及びネオン管NE1の直列回路とが並列に接続されている。電源部２１は、第１の電源回路と第２の電源回路との二系統の電源回路から構成されている。
【００２６】
二系統の電源回路(電源部２１)のうちの第１の電源回路は、主照明用ＬＥＤ群を含む照明部２２に供給する整流電圧を生成する電源回路であって、ＡＣ入力端子Ｌと交流入力端子２との間に、抵抗Ｒ2及びコンデンサＣ2の並列回路と、抵抗Ｒ1と、全波整流回路である全波整流ダイオードブリッジＤＢ１とが直列に接続されている。全波整流ダイオードブリッジＤＢ1の＋端子から出力される全波整流電圧は、照明部２２に供給される。照明部２２は、電流制限用抵抗Ｒ18とこれに直列接続した少なくとも１つ(図では６つ)のＬＥＤで構成されるＬＥＤ群との直列回路と、この直列回路を保護するために該直列回路両端に並列接続された定電圧ダイオードＺＤ2 とを備えて構成されている。なお、全波整流ダイオードブリッジＤＢ1 の−端子は、全波整流ダイオードブリッジＤＢ1 の二次側(直流出力側)の基準電位点(ＧＮＤ)として機能する。
【００２７】
二系統の電源回路(電源部２１)のうちの第２の電源回路は、ＡＣ入力端子Ｌと交流入力端子２との間に、抵抗Ｒ3，Ｒ4及びダイオードＤ1，Ｄ2による半波整流回路が形成され、その整流出力端には充電コンデンサＣ3及び定電圧ダイオードＺＤ1の並列回路が接続され、その定電圧出力はレギュレータ用の直流電源電圧としてレギュレータＩＣ1に供給され、レギュレータＩＣ1の出力側に並列接続された平滑コンデンサＣ4を介して安定化直流電源電圧として出力され、電流検知部２３、制御部２４、人感センサ部２５、及びＰＤタッチ用照度センサ部２６に電源を供給する。
【００２８】
交流入力端子２と電流検知端子３との間には、電流検知部２３が接続されている。電流検知部２３は、照明部の消灯時の消費電流と点灯時の消費電流との差を検出し、その検出情報を電源線を用いて照明器具間で伝達する。１本のAC100Vラインの電流値の増減を伝達信号としている。つまり、照明器具本体ではAC100Vラインが３本となる３線式となっている。
【００２９】
電流検知部２３は、交流入力端子２と電流検知端子３との間に、３本のダイオードＤ4〜Ｄ6が順方向に直列接続され、更にダイオードＤ3がダイオードＤ4〜Ｄ6とは逆方向に並列に接続され、更に、電流検知端子２と電流検知端子３との間に、分流用の抵抗Ｒ34が接続される一方、トランジスタ出力型のフォトカプラＰＣ1の一次側発光素子である発光ダイオードが並列に接続されている。フォトカプラＰＣ1は一次側の発光ダイオードと二次側のフォトトランジスタを組合せて一対としたもので構成されている。
【００３０】
制御部２４は、フォトカプラＰＣ1の二次側のフォトトランジスタに接続した、ＬＥＤ群1〜6の点灯に基づく電流検知部(コンデンサＣ11，抵抗Ｒ27，抵抗Ｒ38及びＭＯＳトランジスタＱ2)と、その電流検知信号を含む検出信号を受け取り、それらの検出結果に基づき照明部２２を制御するマイコンＩＣ2と、点灯モード（強制点灯、強制消灯、人感による自動(連動部Ｂとの連動)、の各モード）切替スイッチＳＷ1と、人感センサＰＥＤ1が人を検知したときに点灯するのに必要な周辺環境照度(閾値)の明暗(高低)を切り替える切替スイッチＳＷ2と、を備えている。
【００３１】
電流検知部２３のフォトカプラＰＣ1の二次側のフォトトランジスタのエミッタ出力端は、コンデンサＣ11及び抵抗Ｒ27の並列回路を介して基準電位点(ＧＮＤ)に接続する一方、ＭＯＳトランジスタＱ2のゲートに接続し、ソースは基準電位点に接続し、ドレインは抵抗Ｒ38を介して直流安定化電圧ラインＶD(即ちフォトトランジスタのコレクタ出力端)に接続している。フォトカプラＰＣ1の二次側のフォトトランジスタが導通すると、そのエミッタ側に接続されたコンデンサＣ1が充電され負荷抵抗Ｒ2 7 の両端の電位がほぼ電源電圧まで上昇し、ＭＯＳトランジスタＱ2がオンする。このときのＱ2のドレイン電位がＨレベルからＬレベルに下降することによって、制御用マイコンＩＣ2は３本のダイオードＤ4〜Ｄ6に電流が流れたことを検知できる。このとき、マイコンＩＣ2は照明部２２のＬＥＤ群のスイッチング素子Ｑ1のゲート電位をＬレベルにすると、ドレインがＨレベルとなり、ＰＭ1のゲート電位がＨレベルとなってオンすることによってＬＥＤ1〜ＬＥＤ6の主照明用ＬＥＤ群に電流が流れ照明が点灯される。
【００３２】
人感センサ部２５は、前方に集光レンズを配した焦電センサと呼ばれる人感センサＰＥＤ1と、そのセンサ出力を数千倍に増幅する増幅部と、を備えている。
【００３３】
人感センサＰＥＤ1は、人体から放射される熱線である赤外線を検出し、微弱な電圧として出力することができる。人感センサＰＥＤ1は第１〜第３の３本の端子を備えており、第１の端子には前記レギュレータＩＣ1の出力電圧ＶDを抵抗Ｒ6を介して供給し、第３の端子には基準電位点GNDのラインが接続し、第２の端子からは、赤外線を検出した時にこれに対応した微弱な検知電圧がセンサ出力として出力される。センサ出力は、抵抗Ｒ7，抵抗Ｒ8及びコンデンサＣ5からなる入力回路を経てオペアンプＩＣ3A，コンデンサＣ8，Ｃ6，抵抗Ｒ9，Ｒ10からなる第１段増幅部で増幅され、さらに抵抗Ｒ11，コンデンサＣ7，オペアンプＩＣ3B，コンデンサＣ9，抵抗Ｒ12，分圧抵抗Ｒ13，Ｒ14からなる第２段増幅部で増幅されることによって数千倍に増幅され、人感信号としてマイコンＩＣ2のＡ／Ｄ端子に入力される。
【００３４】
ＰＤタッチ用照度センサ部２６は、前述したように、照明器具の筐体(外装体)に設けた採光部(外光取り入れ口)から周辺環境(外光)を取り入れ可能となっており、ユーザーが採光部を指で短時間(例えば２秒間)塞ぐことによって照度センサＰＤ1がこれを検出して制御用マイコンＩＣ2に伝え、マイコンＩＣ2がそのときの照度検出値の変化特性から調光指令と判断して調光指令信号を出力できるようにするためのものである。
【００３５】
以下に、連動部の動作について説明する。  
連動部２０Ａの電源部２１は独立部１０Ａの電源部１１と同様な構成である。ＡＣ入力端子Ｌ，Ｎについて説明する。図１でＡＣ入力端子Ｌにジャンパ線ＪＰlが、またＡＣ入力端子Ｌ，Ｎ間にジャンパ線ＪＰ2が存在するがこれは二者択一であってジャンパ線ＪＰlを使用した場合はジャンパ線ＪＰ2は使用しない。逆も同様である。連動型照明器具は２つの親器を必要とし、第１の親器は主光源の連動部２０Ａと副光源の独立部１０Ａを備えて構成され、第２の親器は主光源の連動部２０Ｂと副光源の独立部１０Ｂを備えて構成されているが、以下の動作説明では、互いに連動して動作する連動部２０Ａ及び連動部２０Ｂの動作について説明する。これを図２にて詳細に説明する。
【００３６】
図２は２つの連動部２０Ａ及び連動部２０Ｂを連結配線接続した概略構成の等価回路図を示している。連動部２０ＡのＡＣ入力端子Ｎにジャンパ線ＪＰ2を接続し、連動部２０ＢのＡＣ入力端子Ｌにジャンパ線ＪＰ1を接続する。なお、図２の点線に示す配線は、親器及び子器におけるジャンパ線が接続しない空き端子に接続することを表している。これは、工事者が後述の図４に示すように親器の端子Ｌ，Ｎ及び子器の端子Ｌ，Ｎを交流電源の対応する電線Ｌ，Ｎに接続するだけで、旨く配線が行われるようにするための配慮である。このような分かり易い接続方法により、親器及び子器の端子Ｌ，Ｎにおいて図２に示すような空き端子が存在していても親器の端子Ｌ，Ｎ及び子器の端子Ｌ，Ｎと交流電源の電線Ｌ，Ｎとの間で有効な配線を支障なく(誤りなく)簡単に行うことができる。
【００３７】
交流電源のＡＣ入力端子Ｎを連動部２０Ａの端子Ｎに配線し、交流電源のＡＣ入力端子Ｌを連動部２０ＢのＡＣ入力端子Ｌに配線する。連動部２０ＡのＡＣ入力端子２を連動部２０Ｂの電流検知端子３に連動部２０Ａの電流検知端子３を連動部２０ＢのＡＣ入力端子２に配線する。連動部２０Ａの端子Ｎと電流検知端子３間に複数のダイオードが互いに逆向きに並列に接続された電流検知部２３が接続されているため、交流電流は端子Ｎから電流検知端子３、電流検知端子３から端子Ｎへ流れる。このため、連動部２０Ａ，連動部２０Ｂは交流電源に対し並列的に接続された状態となっている。
【００３８】
ダイオード群(図１のＤ4〜Ｄ6に対応)の３個直列に接続された側にフォトカプラＰＣ1の一次側の赤外線発光ダイオードを並列に接続する。このようにすれば、ダイオード群Ｄ4〜Ｄ6に電流が流れ、(３個のダイオードＤ4〜Ｄ6の順方向電位Ｖｆ)×３ ＞ ＰＣ1の赤外線発光ダイオードの順方向電位 の関係が成立すると、フォトカプラＰＣ1の二次側のフォトトランジスタが導通し、そのエミッタ側に接続された負荷抵抗Ｒ27の両端の電位がほぼ電源電圧まで上昇する。この電位が制御部２４のマイコンＩＣ2に接続されているので、ダイオード群Ｄ4〜Ｄ6に電流が流れたことを検知できる。このとき、マイコンＩＣ2は照明部２２の照明用ＬＥＤ群のスイッチング素子Ｑlのゲート電位をＬレベルにすると、ドレインがＨレベルとなり、スイッチ素子ＰＭ1のゲート電位がＨレベルとなってオンすることにより照明用ＬＥＤ群に電流が流れ照明部２２が点灯される。即ち図２において連動部Ａ，連動部Ｂのどちらかの人感センサＰＥＤ1が人を検知して照明部２２のＬＥＤ群を点灯させると、ＬＥＤ群を流れる負荷電流が発生し、もう一方の電流検知用ダイオード群を介し交流電源に電流が流れるため、上記の説明のように、連動部２０Ａ及び連動部２０Ｂのそれぞれの照明用ＬＥＤ群が連動して点灯することになる。
【００３９】
図２で、符号Ｓ1は、２つの連動型照明器具を連結配線したとき、それら２つの連動型照明器具が各々の電流検知部の電流検知出力に基づき点灯し続けるのを停止(消灯)させるためにマイコンＩＣ2(図示略)で生成された電流検知遮断信号(図示略)で電流検知出力を一時的に遮断させる、電流検知信号ライン上に設けられた遮断部である。また、符号Ｓ2は、人感センサ部２５からの人感信号に基づくタイマー信号と電流検知部２３からの電流検知信号との論理和をとり、その論理和出力を点灯制御信号としてスイッチ素子Ｑ1のゲートに供給するためのオア回路である。
【００４０】
このような２つの親器間に子器を配置しない相互制御型(連動型)の人感照明器具については、本出願人が２０１０年１０月６日に特許出願した特願２０１０−２２６８５６号明細書(図３及び図４に関連した部分)に原理及び応用についての説明がある。
【００４１】
なお、点灯モード切替部である点灯モード切替スイッチＳＷ1は選択可能な３つのモードに対応した切替え端子を備えており、第１の切替え端子は強制的に連続点灯させるための強制オンを設定するための端子であり、第２の切替え端子は強制的に連続消灯させるための強制オフを設定するための端子であり、第３の切替え端子は人感センサを用いて自動的に連動して点灯・消灯を行うための自動動作を設定するための端子である。ユーザーは予め点灯モード切替スイッチＳＷ1にて手動切り替えしてのいずれに設定しておくことができる。どのモードを選択して設定したかは、切替スイッチＳＷ1のスライダ等の選択位置に印刷した文字(ロゴ)にて知ることができる。
【００４２】
以上述べた連動型照明器具においては、周囲が暗くなって周辺環境照度が例えば３０Ｌｘ以下になると、独立部１０Ａの照度センサ部１２(及び連動部２０Ａの照度センサ部２６)の検知出力に基づいて、サイリスタＳＣＲ1がオンして下方(足元)側ＬＥＤ群を含む常夜灯の照明部１３が点灯し、かつ人が来たら連動部２０Ａにおける人感センサ部２５がこれを検知して制御部２４の動作によってスイッチング素子Ｑ1をオンにして連動部２０Ａの主面(例えば正面)側ＬＥＤ群を含む照明部２２を点灯する。連動部２０Ａの照明部２２が点灯すると、次の交流半サイクルで交流電源からの電流がもう１つの連動部２０Ｂの電流検知部２３を流れ、これが電流検知されるとその検出信号で連動部２０Ｂのスイッチング素子Ｑ1がオンして連動部２０Ｂの主面(例えば正面)側ＬＥＤ群を含む照明部２２が点灯する。その結果、一方の連動部の人感センサ出力に基づいて連動部２０Ａ及び連動部２０Ｂが自動的に連動して点灯する。連動部２０Ａ及び連動部２０Ｂはそれぞれ親器としての第１及び第２の連動型照明器具を構成している。
【００４３】
図２では人感センサ付き照明器具である、２つの親器同士を連結した連動型照明システムの構成を概略的に示したものであるが、次に図３を参照して、親器間に連接して使用できる子照明器具(以下子器)について説明する。
【００４４】
図３は連動型照明システムにおける子器の詳細な構成図を示している。  
子器は、図１に示す親器の人感センサ部２５が存在しないことと、ＬＥＤ照明時に流れる電流を検知する複数のダイオードが互いに逆向きに並列接続された電流検知部４３が交流電源から独立していることと、照明部４２は複数(図では８つ)の照明用ＬＥＤ群のうちの６つのＬＥＤが主光源である正面ＬＥＤ群による主照明部を形成し、残りの２つのＬＥＤが副光源である底面ＬＥＤ群による副照明部を形成している点で、親器である連動部２０Ａ又は連動部２０Ｂとは異なっている。
【００４５】
子器は、電源部４１と、照明部４２と、電流検知部４３と、制御部４４と、照度センサ部４５と、を備えている。  
電源部４１は、図１の電源部２１とほぼ同様な構成となっている。すなわち、電源部４１は、電源部２１にコンデンサＣ1を追加し、ネオン管ＮＥ1及び抵抗Ｒ5を削除した構成と同じである。
【００４６】
照明部４２は、前述したように照明用ＬＥＤ群を異なった照明方向の２つの点灯面、即ち正面ＬＥＤ群と底面ＬＥＤ群に分けている点で、連動部２０Ａの照明部２２の構成とは異なっている。
【００４７】
電流検知部４３は、前述したように交流電源のＡＣ入力端子Ｎ又はＬに接続することなく、交流電源から独立している点で、連動部２０Ａの照明部２２の構成とは異なっている。
【００４８】
制御部４４は、連動部２０Ａの制御部２４と同様の構成となっている。  
照度センサ部４５は、制御部４４内に配置されているが、連動部２０Ａの照度センサ部２６と同様の構成となっている。
【００４９】
次に、図４を参照して、電流検知部４３に親器側で発生したＬＥＤ照明電流が流れる様子を説明する。  
図４は２つの親器と複数の子器の接続形態の配線図を示している。一例として親器２０Ａ，２０Ｂ間に子器３台が接続された状態を示す。親器２０Ａの交流入力端子２は親器２０Ｂの電流検知端子３に配線され、親器２０Ａの電流検知端子３は子器２０Ｃ1の電流検知端子２に、同子器２０Ｃ1の電流検知端子３は子器２０Ｃ2の電流検知端子２に、子器２０Ｃ2の電流検知端子３は子器２０Ｃ3の電流検知端子２に、同子器２０Ｃ3の電流検知端子３は親器２０Ｂの交流入力端子２に配線される。即ち、各電流検知部は直列に接続されていることになる。このため親器２０Ａまたは親器２０Ｂでの照明用ＬＥＤ群が点灯した時に流れる電流は各電流検知部を流れる。その結果、電流検知信号を各制御部のマイコンＩＣ2が検知して各照明用ＬＥＤ群を点灯させる。すなわち、連動して複数のＬＥＤ群が一斉に点灯する。
【００５０】
図４のように正しく配線できたか否かの確認は、図１の親器側のネオン管ＮＥ1の点灯で容易に確認できる。
【００５１】
図５は図４において設置された全ての照明器具の同時点灯及び同時消灯の動作を説明するタイミングチャートである。
【００５２】
図４のような２つの親器間に子器を配置した相互制御型(連動型)の人感照明器具については、本出願人が２０１０年１０月６日に特許出願した特願２０１０−２２６８５７号明細書(図５及び図６に関連した部分)に原理及び応用についての説明がある。
【００５３】
なお、親器２０Ａ及び２０Ｂの何れの親器のマイコンＩＣ2も、人感センサＰＥＤ1からの人感信号に基づいて予め決めた所定時間のタイマー信号を生成するタイマー機能と、 ２つの人感センサ付き連動型照明器具２０Ａ，２０Ｂが各々の電流検知部２３の電流検知出力に基づき点灯し続ける現象を無くして消灯させるために第２の人感センサ付き連動型照明器具２０Ｂで発生するタイマー信号のオフタイミングに基づいて電流検知遮断信号を生成する機能と、を備えている。
【００５４】
次に、図５を参照して、一旦連動して点灯した複数のＬＥＤ群の消灯に関して説明する。
【００５５】
今、親器２０Ａの人感センサＰＥＤ1が反応してＬＥＤ群が点灯したとすると、電流検知信号が親器２０Ａでも発生し、親器２０Ｂでも発生する。同時に中間にある子器２０Ｃ1〜２０Ｃ3(以下単に子器２０Ｃ)でも発生し、親器２０Ｂと子器２０ＣのＬＥＤが点灯する。親器Ｂは電流検知信号でＬＥＤ群が点灯したと同時に消灯権を保持することにする。ここで、ＬＥＤ消灯権とはＬＥＤを消灯させる権限(権利)をいう。この場合、人感センサＰＥＤ1の反応でＬＥＤ群を点灯させた親器２０Ａ側にはＬＥＤ消灯権を保持できないこととする。単純なケースとして、人が親器２０Ｂまで到達して親器２０Ｂの人感センサＰＥＤ1が反応して親器２０ＢのマイコンＩＣ2内のプログラムによるタイマーが始動する。タイムアップと同時にＬＥＤ群を消灯すると、親器２０Ａ−子器２０Ｃ−親器２０Ｂ間に配線されたＬＥＤ点灯電流直列回路部分が遮断され電流が流れなくなり、親器２０Ａ、子器２０Ｃの電流検知部の出力がＬレベルとなり、親器２０Ａ，子器２０ＣのＬＥＤ群も消灯する。
【００５６】
親器２０ＡもＬＥＤ群の点灯と同時に親器２０ＡのマイコンＩＣ2のプログラムによるタイマーが始動するが、このタイマー時間は比較的長時間とする。即ち、何らかの事情で、親器Ａの人感センサＰＥＤ1を反応させた人物が親器２０Ｂまで到達せず、再び親器２０Ａまで引き返した場合、上記のＬＥＤ消灯権が発生しないため、永遠にＬＥＤ群が点灯したままとなる。このため、消灯権が発生しないケースでもＬＥＤ群を消灯させるため、自発的にＬＥＤ群を強制消灯させるための比較的長時間の長時間タイマーが用意されている。この長時間タイマーは一旦ＬＥＤ消灯権が実行された場合、リセットされることになる。
【００５７】
第１の実施形態によれば、人感センサと周辺照度検出用の照度センサを用いて、ユーザーにとって適切な照明環境を設定して自動化することを可能とし、人が常時廊下や階段等の通路を安全に通行することができ、かつ必要な時間だけ照明することができる連動型照明システムを実現することができる。ＬＥＤ照明を点灯しておく時間が親器Ａ，Ｂ間を移動する人の速度で決定されるため、一方的に設定された時間だけ点灯する従来の照明制御とは異なるため、特に老人や足の不自由な人等の居住する住宅の通路灯や階段灯としての利用が有効である。
【００５８】
[第２の実施形態]
図６は本発明の第２の実施形態の連動型照明システムにおける親器としての連動型照明器具の回路図を示している。  
図６の親器としての連動型照明器具が図１の親器としての連動型照明器具と異なる点は、ＰＤタッチ用照度センサ部２６は、照明の明るさを調光するためのコマンドを生成するのでなく、点灯モード(強制点灯、強制消灯、及び連動部２０Ａ又は２０Ｂ側での人感による自動点灯の各モード)を指操作に基づいて切り替えるためのモード切替用コマンドを生成する。そして、制御部２４内のマイコンＩＣ2は、点灯状態設定部としてのＰＤタッチ用照度センサ部２６から出力されたモード切替用コマンドが入力される度にＩＣ2の３つの出力端から順次に点灯モード毎のモード切替信号を生成して出力し、点灯モード表示用のインジケータ部２７に供給すると同時に、点灯モード毎に点灯制御信号を生成して出力し、照明用ＬＥＤ群の照明部２２内のスイッチ素子Ｑ1のゲートに供給する。
【００５９】
インジケータ部２７では、供給されたモード切替信号が点灯モード指示用ＬＥＤ6，ＬＥＤ7及びＬＥＤ8にそれぞれ直列接続した駆動用トランジスタＱ4，Ｑ5及びＱ6の各ベースに供給されて、切り替えられた点灯モードごとにＬＥＤ6，ＬＥＤ7及びＬＥＤ8を順次に点灯することになる。ＬＥＤ6，ＬＥＤ7及びＬＥＤ8は例えば赤，橙，緑の色光を発することができ、点灯モードを色別に表示することで、ユーザーに切り替えられた点灯モードがどのモードかを知らせることができる。同時に、照明部２２は切り替えられた点灯モード毎に点灯制御信号にて点灯制御され、強制点灯、強制消灯、及び連動部２０Ａ又は２０Ｂ側での人感による自動点灯のいずれかのモードが実行される。
【００６０】
その他の構成及び動作は、図１の場合と同様である。
【００６１】
図７は本発明の第２の実施形態の連動型照明システムにおける子器としての連動型照明器具の回路図を示している。  
図７の子器としての連動型照明器具が図３の子器としての連動型照明器具と異なる点は、電源部３１と照度センサ部３２と副光源用照明部３３とを備えた副光源用の照明器具１０Ｃが設けられていることと、図６の場合と同様に、ＰＤタッチ用照度センサ部４５は、照明の明るさを調光するためのコマンドを生成するのでなく、点灯モード(強制点灯、強制消灯、及び連動部２０Ａ又は２０Ｂ側での人感による自動点灯に連動した自動点灯の各モード)を指操作に基づいて切り替えるためのモード切替用コマンドを生成する点である。
【００６２】
そして、制御部４４内のマイコンＩＣ2は、点灯状態設定部としてのＰＤタッチ用照度センサ部４５から出力されたモード切替用コマンドが入力される度にＩＣ2の３つの出力端から順次に点灯モード毎のモード切替信号を生成して出力し、点灯モード表示用のインジケータ部５１に供給すると同時に、点灯モード毎に点灯制御信号を生成して出力し、照明用ＬＥＤ群の照明部４２内のスイッチ素子Ｑ1のゲートに供給する。
【００６３】
インジケータ部５１では、供給されたモード切替信号が点灯モード指示用ＬＥＤ6，ＬＥＤ7及びＬＥＤ8にそれぞれ直列接続した駆動用トランジスタＱ4，Ｑ5及びＱ6の各ベースに供給されて、切り替えられた点灯モードごとにＬＥＤ6，ＬＥＤ7及びＬＥＤ8を順次に点灯することになる。ＬＥＤ6，ＬＥＤ7及びＬＥＤ8は例えば赤，橙，緑の色光を発することができ、点灯モードを色別に表示することで、ユーザーに切り替えられた点灯モードがどのモードかを知らせることができる。同時に、照明部４２は切り替えられた点灯モード毎に点灯制御信号にて点灯制御され、強制点灯、強制消灯、及び連動部２０Ａ又は２０Ｂ側での人感による自動点灯に連動した自動点灯のいずれかのモードが実行される。  
その他の構成及び動作は、図３の場合と同様である。
【００６４】
以上述べた第２の実施形態によれば、人感センサと周辺照度検出用の照度センサを用いて、ユーザーにとって適切な照明環境を設定して自動化することを可能とし、人が常時廊下や階段等の通路を安全に通行することができ、かつ必要な時間だけ照明することができる連動型照明システムを実現することができる。ＬＥＤ照明を点灯しておく時間が親器Ａ，Ｂ間を移動する人の速度で決定されるため、一方的に設定された時間だけ点灯する従来の照明制御とは異なるため、特に老人や足の不自由な人等の居住する住宅の通路灯や階段灯としての利用が有効である。
【００６５】
[第３の実施形態]
図８は本発明の第３の実施形態の連動型照明システムにおける連動型照明器具の回路図を示している。ここでは、連動型照明器具を新たに開発した連動信号２線式ＬＥＤ照明器具で構成した回路図を示している。
【００６６】
電源部６１は電源トランスＰＴを用いることによって、一次側ＡＣ１００Ｖ側と電源トランスの２次側は絶縁されている。電源トランスＰＴの２次側ではその出力が整流ダイオードブリッジＤＢで全波整流され、ツェナーダイオードＺＤ1と、電解コンデンサＣ1でＤＣ１２Ｖに平滑される。この１２Ｖ電源は３端子レギュレークＩＣ1で制御用電源＋５Ｖに降圧され安定化直流電源を得る。
【００６７】
人感センサ部６３において、人感センサＰＥＤ1の出力はＩＣ2, ＩＣ3の２つのオペアンプで約６０ｄｂ増幅され、その出力は演算部としてのマイコンＩＣ5のＡＤ変換入力端子に入力される。また、照度センサ部６４において、照度センサＩＣ4の出力もマイコンＩＣ5のもう一つのＡＤ変換入力端子に入力される。
【００６８】
マイコンＩＣ5では照度センサＩＣ4の出力をＡＤ変換し、一定の環境照度例えば３０Lx以下で人感信号が有意であれば駆動部６６としてのＬＥＤドライバＩＣ6のシャットダウン入力端子ＳＨＤＮをＨレベルとすることで、ＬＥＤドライバＩＣ6がイネーブル状態となり、複数のＬＥＤを直列接続した照明部６７としてのＬＥＤ群が点灯する。
【００６９】
ＬＥＤ群が点灯した情報を出力して、もう一個の同一の連動型照明器具２０Ｂ(図示せず)にその情報を伝えて連動型照明器具２０ＢのＬＥＤ群を連動して点灯させる情報伝達部としての信号伝達部６２を、フォトトランジスタ出力型のフォトカプラＰＣと、同フォトカプラＰＣの１次側の赤外線ダイオードを制御するトランジスタＱ1と、同フォトカプラＰＣの出力側の情報とトランジスタＱ1のベース側の制御信号との論理積をマイコンＩＣ5伝えるためのＮＯＲゲートとを用いて構成する。信号伝達部６２は、前記人感センサＰＥＤ1からの人感信号に基づいて点灯情報を生成し、該情報を２本の信号線を用いて照明器具間で伝達する機能を有する。
【００７０】
図９は連動型照明器具２０Ａ及び連動型照明器具２０Ｂの信号伝達部６２同士を電源線はなく信号線２本で連結した部分を示し、図１０にタイムチャートを開示している。
【００７１】
第１及び第２の実施形態では、親器間、及び子器、親器間に伝達する信号は、１本のAC100Vラインの電流値の増減を伝達信号とし、照明器具本体ではAC100Vラインが３本となる３線式であった。これに対して、第３及び第４の実施形態においては、親器間、及び子器、親器間に伝達する信号は、パルス信号を伝達する方式で信号線が２本となり、照明器具本体ではAC100Vラインが２本と信号線が２本の４線式となっている。
【００７２】
以下に、図９，図１０を用いて２つの照明器具が連動して点灯、消灯する原理を説明する。照明器具２０Ａ、２０Ｂは各々のＳＩＧ端子とＳＩＧ端子間、ＣＯＭ端子とＣＯＭ端子が接続された状態とする。
【００７３】
図８及び図９を参照して、今、照明器具２０Ａ、２０Ｂの両者は点灯すべき一定照度以下の環境で、人が来ると、２０Ａ側の照明器具の人感センサＰＥＤ1が動作して、マイコンＩＣ5のＩＮ1端子に人感センサ出力が入力され、マイコンＩＣ5から出力ＯＵＴ1としてＬＥＤ点灯指令信号ＳＨＤＮが発生してＬＥＤ群が点灯したとする。この時は、ＩＣ5の出力ＯＵＴ2が一定期間ＨレベルとなりトランジスタＱ1が導通する。同時にフォトカプラＰＣも導通して、その出力側のフォトトランジスタがオンすることで、ＮＯＲゲートのＧ1端子はＬレベルになるが、もう一方の端子Ｇ2はマイコンＩＣ5のＯＵＴ2に接続されているのでＨレベルで、ＮＯＲゲートの出力はＬレベルのままでマイコンＩＣ5のＩＮ2端子もＬレベルのままで変化しない。
【００７４】
一方、２０Ｂ側のフォトカプラＰＣの一次側は２０Ａ側のトランジスタＱ1を介し導通し、出力側のフォトトランジスタが導通するので、２０Ｂ側のＮＯＲゲートのＧ1入力はＬレベルとなる。この時、２０Ｂ側では人が到着していなく人感センサ出力が発生していないので、２０ＢのマイコンＩＣ5のＯＵＴ2出力はＬレベルのままなので、ＮＯＲゲートの入力端子Ｇ2はＬレベルでＮＯＲゲートの出力はＨレベルに立ち上がり、その出力がＩＣ5のＩＮ2端子に印加され、２０Ａ側のＬＥＤ群が点灯状態にあると判断させることで、ＩＣ5の出力ＯＵＴ1としてＬＥＤ点灯指令信号が出力され、２０Ｂ側のＬＥＤも点灯させる。このようにして２０Ａ側が点灯すれば２０Ｂ側も連動してＬＥＤ群を点灯させることができる。
【００７５】
人感センサ出力で最初に点灯した側（ここでは２０Ａ側）をマスターと呼称し、マスター側からの点灯信号で点灯した方をスレーブと呼称する。
【００７６】
やがて、２０Ａ側で人感センサにて検出された人物が２０Ｂ側に到着し、２０Ｂ側の人感センサで検出された場合の事象を以下に説明する。
【００７７】
２０Ｂ側（スレーブ側）で人感センサが有意となった時、ＬＥＤ群は点灯状態から消灯モードに変更される。また、マイコンＩＣ5のＯＵＴ2出力がＨレベルとなりトランジスタＱ1をオンにする。この時、フォトカプラＰＣの一次側の赤外線ダイオードが導通し、その出力側のフォトトランジスタがオンしてコレクタ電位がＬレベルとなるが、Ｑ1を導通させるためＮＯＲゲートのもう一方の入力Ｇ2がＨレベルとなっているためＮＯＲゲート出力はＬレベルになって（２０Ｂ側マイコンＩＣ5に対しては無信号であり）、ＩＣ5の出力ＯＵＴ1としてＬＥＤ消灯指令信号が出力され、２０Ｂ側のＬＥＤ群を消灯させる。
【００７８】
一方、２０Ａ側のフォトカプラＰＣの一次側が導通するため出力側のフォトトランジスタがオンしてＮＯＲゲートのＧ1入力がＬレベルとなる。この時は、Ｇ２入力はマイコンＩＣ5のＩＮ1に人感センサ出力が存在しないのでＬレベルとなっており、ＮＯＲゲート出力はＨレベルとなる。ＮＯＲゲート出力がＨレベルに変化するとマスター側は出力ＯＵＴ1としてＬＥＤ群を消灯するようにコマンド(ＬＥＤ消灯指令信号)を出力し、マスター側のＬＥＤ群を消灯する。
このようにして２０Ａ，２０Ｂ同時にＬＥＤ群を連動して消灯することができる。
【００７９】
図１１は第３の実施形態における子器の回路図を示している。子器２０Ｃは、前述の人感センサ部を有する親器に対し、人感センサ部を有せず、親器２０Ａ、２０Ｂ間に親器の状態の情報を伝達するための情報伝達部ＩＮＦ１，ＩＮＦ２を２回路有している。図１２に子器１台を親器２０Ａ，２０Ｂ間に接続した場合の情報伝達に関わる部分を示している。図１３にタイムチャートを示す。
【００８０】
親器２０Ａ，２０Ｂの動作は既に記述した通りで、両親器情報を子器がどのように伝達するかについて以下に記述する。  
親器２０Ａ(図８参照)側で人感センサＰＥＤ1が人を検出すると２０Ａ側のトランジスタＱ1のベースにマイコン(図８のＩＣ5)からＨレベルのＯＵＴ2信号(図８及び図１２参照)が出力され、一定期間Ｑ1がオンする。その結果、親器２０ＡのフォトカプラＰＣの一次側の赤外線ダイオードが導通して二次側のフォトトランジスタがオンするため、ＮＯＲ入力のＧ1はＬレベルとなるが、同Ｇ2入力はＨレベルなのでＮＯＲ出力はＬレベルのままで、マイコン(図８のＩＣ5)に対しては無信号である。
【００８１】
一方、子器２０Ｃ側(図１２参照)のフォトカプラＰＣ1の一次側の赤外線ダイオードが導通するため同出力側のフォトトランジスタがオンすることで、ＮＯＲ1の入力Ｇ1はＬレベルとなる。また、同Ｇ2入力はＬレベルのままなのでＮＯＲ1の出力はＨレベルとなり、マイコンＩＣ8のＯ1端子に印加され、親器２０Ａ側の人感センサＰＥＤ1が人を検出した情報が子器２０Ｃに伝達されたことになり、子器２０Ｃ側のマイコンＩＣ8のＯＵＴ1端子がＨレベルとなって、ＬＥＤドライバＩＣ(図１１のＩＣ9)の制御端子をＨレベルとするためＬＥＤドライバＩＣ9が動作して照明用ＬＥＤ群を点灯させる。
【００８２】
この結果を伝達するため、マイコンＩＣ8のＤ2端子がＨレベルとなってトランジスタＱ2がオンしてＳＩＧ2端子（図１１参照）がＬレベルとなる。
【００８３】
このとき、フォトカプラＰＣ2の一次側の赤外線ダイオードも導通し、二次側のフォトトランジスタもオンしてＮＯＲ2ゲートのＧ3端子がＬレベル、しかしマイコンＩＣ8のＤ2端子がＨレベルなので、ＮＯＲゲートのＧ4端子はＨレベルとなり、ＮＯＲ2の出力はＬレベルでマイコンＩＣ8に対しては無信号である。
【００８４】
こうしてトランジスタＱ2がオンしたため、親器２０ＢのフォトカプラＰＣの一次側の赤外線ダイオードが導通して出力側のフォトトランジスタが導通し、ＮＯＲゲートのＧ1端子がＬレベルとなる。また、同２０Ｂ側のマイコンからのＯＵＴ2信号は人感センサが人を検知していないためＬレベルであるからＮＯＲゲートのＧ2端子もＬレベルなのでＮＯＲ出力がＨレベルとなり同２０Ｂ（図１２及び図９参照）のＮＯＲ出力端に接続するマイコンＩＣ5の所定の端子ＩＮ2入力がＨレベルに変化して、この信号に基づいて親器２０Ｂの照明用ＬＥＤ群が点灯することになる。
【００８５】
このようにして親器２０Ａで人が検出されると、親器２０ＡのＬＥＤ群が点灯し、子器２０Ｃ、親器２０Ｂと信号が伝達され、各ＬＥＤ群が次々と点灯することになる。
【００８６】
次に、親器２０Ａで検知された人物が子器２０Ｃを通過して親器２０Ｂに到達すると、親器２０Ｂの人感センサで検知される。このとき先述したプロセスと同様の情報伝達が親器２０Ｂから子器２０Ｃを経由して親器２０Ａに伝達される過程を以下に説明する。
【００８７】
親器２０ＢのマイコンＩＣ5が人を検出すると、同２０ＢのＬＥＤ群が消灯モードとなり、マイコンＩＣ5からＨレベルのＯＵＴ2信号出力が一定期間出力される。この結果、親器２０ＢのトランジスタＱ1がオンするが、同２０ＢのフォトカプラＰＣの一次側の赤外線ダイオードも導通して出力側のフォトトランジスタもオンしてＮＯＲゲートのＧ1端子がＬレベルとなるが、同Ｇ2端子はＨレベルとなっているのでＮＯＲ出力はＬレベルのままで、マイコンに対しては無信号である。
【００８８】
同２０ＢのトランジスタＱ1 がオンすると子器２０ＣのフォトカブラＰＣ2の一次側の赤外線ダイオードが導通して出力側のフォトトランジスタがオンしてＮＯＲ2ゲートのＧ3端子がＬレベルとなる。一方、マイコンＩＣ8のＤ2出力はＬレベルなのでＮＯＲ2ゲートＧ4がＬレベルでＮＯＲ2の出力がＨレベルとなり、親器２０Ｂが人を検出したことが伝達される。
【００８９】
この結果、子器２０ＣのＬＥＤ群(図示略)が消灯されると同時に、マイコンＩＣ8のＤ1端子が一定期間Ｈレベルとなり、トランジスタＱ1を導通させる。このとき、フォトカプラＰＣ1の一次側の赤外線ダイオードも導通して出力側のフォトトランジスタがオンしてＮＯＲ1ゲートのＧ1端子がＬレベルとなるが、Ｇ2端子はＤ１がＨレベルなのでＮＯＲ1出力はＬレベルのままである。
【００９０】
子器２０ＣのトランジスタＱ1の導通に伴い、親器２０ＡのフォトカプラＰＣの一次側の赤外線ダイオードが導通して出力側のフォトトランジスタがオンするため、ＮＯＲゲートのＧ1端子はＬレベル、一方Ｇ2端子はＬレベルのままなのでＮＯＲ出力はＨレベルに変化して親器２０ＡのマイコンＩＣ5に親器２０Ｂが人を検出した情報が伝達されＬＥＤ群が消灯する。
【００９１】
このように、親器２０Ａで最初に人を検出すると、親器２０Ａの照明用ＬＥＤが点灯し、その結果が子器２０Ｃ、親器２０Ｂに伝達され各々の照明用ＬＥＤが次々と点灯し、今度は、親器２０Ｂが人を検出すると親器２０Ｂの照明用ＬＥＤが消灯し、その結果が子器２０Ｃ、親器２０Ａに伝達され各々の照明用ＬＥＤが次々と消灯することになる。
【００９２】
第３の実施形態によれば、人感センサと周辺照度検出用の照度センサを用いて、ユーザーにとって適切な照明環境を設定して自動化することを可能とし、人が常時廊下や階段等の通路を安全に通行することができ、かつ必要な時間だけ照明することができる連動型照明システムを実現することができる。ＬＥＤ照明を点灯しておく時間が親器Ａ，Ｂ間を移動する人の速度で決定されるため、一方的に設定された時間だけ点灯する従来の照明制御とは異なるため、特に老人や足の不自由な人等の居住する住宅の通路灯や階段灯としての利用が有効である。
【００９３】
[第４の実施形態]
図１４は本発明の第４の実施形態の連動型照明システムにおける親器の回路図を示している。第３の実施形態の図８と比較すると、本第４の実施形態は人感センサ部を２回路有している。すなわち、図１４では、図８に示す親器２０Ａとしての連動型照明器具に対して、人感センサ部６３のほかにもう１つの人感センサ部６８を追加して設けることにより、人感センサ部６３，６８(それぞれに人感センサＰＥＤ1，ＰＥＤ2を含む)を２回路有したものとしている。それ以外の構成は図８と同様である。
【００９４】
このときの人感センサ部６３，６８の例えば通路上における配置に関しては、２つの人感センサ部が同時に一人の人体を検出することがないように、人が通過する通行方向に沿って互いに離間するように２つの人感センサ部の人感センサ間にセパレータを存在させる。このため、本実施形態の連動型照明器具２０Ａの前を人体が通過すると、２つの人感センサの各々の検出出力に時間差が生じることになる。なお、２つの人感センサに限らず、２つ以上の人感センサを用いた構成としてもよい。
【００９５】
図１４に示した連動型照明器具２０Ａと同じ連動型照明器具２０Ｂ(図示略)を用意して、互いに２本の信号線(＋SIG，COM)同士を接続することによって、２つの照明器具２０Ａ，２０Ｂを連結して、１つの連動型照明システムを構成し、今、照明器具２０Ａの前を人体が通過し照明器具２０Ｂに到達する場合について説明する。なお、親器としての２つの照明器具２０Ａ，２０Ｂの間に、少なくとも１つの子器としての連動型照明器具(例えば図１１に示したような子器)を連接して、１つの連動型照明システムを構成してもよい。連動型照明器具２０Ａの人感センサＰＥＤ1，ＰＥＤ2はそれぞれ照明器具間の通路を含む照明エリアにおける一端側の外周辺部側に近い側と内部側とに位置するように配置され、連動型照明器具２０Ｂの人感センサＰＥＤ2，ＰＥＤ1はそれぞれ照明器具間の通路を含む照明エリアにおける他端側の内部側と外周辺部側に近い側とに位置するように配置されている。
【００９６】
人が照明器具２０Ａの前を通過すると、人感センサＰＥＤ1の出力が人感センサＰＥＤ2の出力より先に発生することになる。この時、演算部としてのマイコンＩＣ5のＱ1への出力はパルス幅Ｔａの単パルス出力とする。この信号が照明器具２０Ｂの演算部としてのマイコンに伝達される。照明器具２０Ａ，２０ＢのマイコンＩＣ5の上書き可能なレジスタの内容をインクルメントして＋１にする。このレジスタが１以上の場合はＬＥＤ照明を点灯させる命令であるとする。これは、レジスタの値が１以上であれば、照明エリアである例えば通路上に人が居ると判断できるためである。この人がやがて照明器具２０Ｂに到達し、２０Ｂの前を通過すると、照明器具２０ＢのＰＥＤ2がＰＥＤ1より先に人体を検出するので、照明器具２０Ｂから人が出たと判定し２０ＢのマイコンＩＣ5のＱ1への出力はパルス幅ＴａがＴｓ時間の間隔をおいた２連のパルス出力とする。この２連のパルス出力が伝達されると照明器具２０Ａ，２０Ｂの各レジスタの内容はデクリメントされるとすると、レジスタの内容が−１され０にクリアされる。このレジスタ内容が０となった場合は、照明エリアである通路上に人が居なくなったことを意味するので、ＬＥＤ照明を消灯させる命令とする。
【００９７】
図１５(a)は親器２０Ａ，２０Ｂ間に人が入った(例えば２０Ａに入った)場合の人感センサＰＥＤ1，ＰＥＤ2の出力及びそのときのマイコンＩＣ5からトランジスタＱ1への出力を示している。図１５(b)は親器２０Ａ，２０Ｂ間から人が出た(例えば２０Ｂから出た)場合の人感センサＰＥＤ2，ＰＥＤ1の出力及びそのときのマイコンＩＣ5からトランジスタＱ1への出力を示している。
【００９８】
以上の記述では親器２０Ａの前を人が通過し２０Ｂに到達する場合を述べたが、逆に親器２０Ｂの前を通過し、２０Ａに到達する場合も同様である。
【００９９】
特殊な例の一例として、照明器具２０Ａの前を通過し、照明器具２０Ｂに到達する経路を変更し、２０ＡにＵターンする場合のケースを考える。
【０１００】
照明器具２０Ａの前を通過したので２０ＡのトランジスタＱ1への出力はＴａパルスが出力され、このパルス信号が照明器具２０Ｂヘ伝達され、各マイコンのレジスタの内容がインクルメントされ＋１になり、２０Ａ，２０ＢのＬＥＤ照明は点灯する。
【０１０１】
やがて、再び２０Ａへ戻ってきたので、２０Ａの人感センサはＰＥＤ２が先に検出するので、Ｑ１ヘの出力はＴａパルスが２連出力されることになり、このＴａの２連パルスがＢに伝達される。２連パルスであればレジスタがデクリメントされる命令であるとすれば、各レジスタの内容は−１されクリアされるのでＬＥＤ照明は消灯される。
【０１０２】
次に、２０Ａの前を人が通過し、２０Ｂの前を異なるもう一人が通過し、２０Ａ，２０Ｂ間の２人が同時に存在する期間がある場合を考えてみる。
【０１０３】
２０Ａを人が通過すると、パルスＴａが２０Ｂに伝達され、各マイコンＩＣ5のレジスタがインクリメントされ＋１となる。しかる後、２０Ｂを人が通過してパルスＴａが発生し、２０Ａに伝達され両者のマイコンＩＣ5のレジスタがインクリメントされ＋２となる。やがて両人がすれ違い、２０Ｂに２０Ａからの人が到達し、２０Ｂには２連のパルスＴａが発生し、２０Ａに伝達され、各レジスタはデクリメントされ内容は＋１に変化する。続いて、２０Ｂからの人が２０Ａに到達し、２０Ａには２連のＴａパルスが発生し、２０Ｂに伝達され、各レジスタの内容がデクリメントされクリア状態となり、ＬＥＤ照明が消灯されることになる。
【０１０４】
図１５では、親器２０Ａ，２０Ｂ間から人が出た場合のパルス出力を複数連なったパルス(例えば２連パルス)としたが、図１６に示すように親器２０Ａ，２０Ｂ間から人が出た場合のパルス出力を、２０Ａ，２０Ｂ間に人が入った場合のパルス出力のパルス幅Ｔａに対して変更してもよい。例えばパルス幅Ｔａに対して、人が出た場合のパルス出力のパルス幅をＴｂ(Ｔａ＜Ｔｂ)と広くしてもよい。
【０１０５】
図１６(a)は親器２０Ａ，２０Ｂ間に人が入った(例えば２０Ａに入った)場合の人感センサＰＥＤ1，ＰＥＤ2の出力及びそのときのマイコンＩＣ5からトランジスタＱ1への出力を示している。図１６(b)は親器２０Ａ，２０Ｂ間から人が出た(例えば２０Ｂから出た)場合の人感センサＰＥＤ2，ＰＥＤ1の出力及びそのときのマイコンＩＣ5からトランジスタＱ1への出力を示している。すなわち、人が出た場合のパルス出力をパルス数を変更することによって区別する代わりに、パルス幅を変更することによって区別してもよい。
【０１０６】
第４の実施形態によれば、人感センサと周辺照度検出用の照度センサを用いて、ユーザーにとって適切な照明環境を設定して自動化することを可能とし、人が常時廊下や階段等の通路を安全に通行することができ、かつ必要な時間だけ照明することができる連動型照明システムを実現することができる。ＬＥＤ照明を点灯しておく時間が親器Ａ，Ｂ間を移動する人の速度で決定されるため、一方的に設定された時間だけ点灯する従来の照明制御とは異なるため、特に老人や足の不自由な人等の居住する住宅の通路灯や階段灯としての利用が有効である。また、人が一方の親器の前を通過し、もう一方の親器に到達する経路を変更し、最初の親器にＵターンする場合等の特殊なケースに対応することも可能となる。
【０１０７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０８】
１０Ａ…独立部(副光源用照明器具)、１３…副光源用照明部、２０Ａ…連動部(親器，親照明器具，人感センサ付き連動型照明器具)、２０Ｂ…連動部(親器，親照明器具，人感センサ付き連動型照明器具)、２０Ｃ…子器(子照明器具，人感センサ無しの連動型照明器具)、２１…電源部、２２…照明部、２３…電流検知部(情報伝達部)、２４…制御部、２５…人感センサ部、２６…照度センサ部、２７…インジケータ部、６１…電源部、６２…信号伝達部(情報伝達部)、６３，６８…人感センサ部、６４…照度センサ部、６６…駆動部、６７…照明部。
【図１】
0005920913.tif 000002
【図２】
0005920913.tif 000003
【図３】
0005920913.tif 000004
【図４】
0005920913.tif 000005
【図５】
0005920913.tif 000006
【図６】
0005920913.tif 000007
【図７】
0005920913.tif 000008
【図８】
0005920913.tif 000009
【図９】
0005920913.tif 000010
【図１０】
0005920913.tif 000011
【図１１】
0005920913.tif 000012
【図１２】
0005920913.tif 000013
【図１３】
0005920913.tif 000014
【図１４】
0005920913.tif 000015
【図１５】
0005920913.tif 000016
【図１６】
0005920913.tif 000017
【図１７】
0005920913.tif 000018
【図１８】
0005920913.tif 000019